(57)【要約】情報処理装置１の送信手段２は、ユーザを識別するユーザ識別情報、パスワード、及び情報処理装置１を識別する装置識別情報を、情報処理装置１を管理する管理装置７に送信する。受信手段３は、ユーザ識別情報、パスワード、及び装置識別情報が管理装置７において互いに関連付けられて登録されたことを示す登録完了情報を受信する。記憶手段４は、送信手段２によって送信された装置識別情報を記憶媒体５に記憶する。制御手段６は、記憶手段４によって装置識別情報が記憶されていないときは、情報処理装置１の属性を示す装置属性情報と宣伝情報を要求する要求情報とを送信手段２が送信するように制御する。
2005033995.tif 000002
【特許請求の範囲】
【請求項１】
サービスの宣伝情報を受信する情報処理装置において、
ユーザを識別するユーザ識別情報、パスワード、および当該情報処理装置を識別する装置識別情報を、当該情報処理装置を管理する管理装置に送信する送信手段と、
上記ユーザ識別情報、上記パスワード、および上記装置識別情報が上記管理装置において互いに関連付けられて登録されたことを示す登録完了情報を受信する受信手段と、
少なくとも上記装置識別情報を記憶する記憶手段と、
上記記憶手段により上記装置識別情報が記憶されていないときは当該情報処理装置の属性を示す装置属性情報と宣伝情報を要求する要求情報とを上記送信手段が送信するように制御する制御手段とを具え、
上記受信手段は、
上記要求情報に応じて、上記装置属性情報に対応する宣伝情報を受信する
ことを特徴とする情報処理装置。
【請求項２】
上記宣伝情報は、
上記管理装置へのユーザ登録を促進する情報である
ことを特徴とする請求の範囲第１項に記載の情報処理装置。
【請求項３】
上記宣伝情報は、
上記管理装置からリンクされるサービスの登録を促進する情報である
ことを特徴とする請求の範囲第１項に記載の情報処理装置。
【請求項４】
上記装置属性情報は、
上記宣伝情報が表示される表示装置の性能を含む
ことを特徴とする請求の範囲第１項に記載の情報処理装置。
【請求項５】
上記装置属性情報は、
上記宣伝情報が記憶される記憶装置の容量を含む
ことを特徴とする請求の範囲第１項に記載の情報処理装置。
【請求項６】
上記装置属性情報は、
バッテリの有無を示す情報を含む
ことを特徴とする請求の範囲第１項に記載の情報処理装置。
【請求項７】
サービスの宣伝情報を送信する情報管理装置において、
ユーザを識別するユーザ識別情報、パスワード、および当該情報処理装置を識別する装置識別情報を情報処理装置から受信する受信手段と、
上記ユーザ識別情報、上記パスワード、および上記装置識別情報を互いに関連付けて登録したことを示す登録完了情報を送信する送信手段と、
上記情報処理装置が上記装置識別情報を記憶していないときに送信する、上記情報処理装置の属性を示す装置属性情報と宣伝情報を要求する要求情報とを受信する受信手段と、
上記要求情報に応じて、上記装置属性情報に対応する宣伝情報を送信する宣伝情報送信手段と
を具えることを特徴とする情報管理装置。
【請求項８】
サービスの宣伝情報を受信する情報処理装置の通信方法において、
ユーザを識別するユーザ識別情報、パスワード、および当該情報処理装置を識別する装置識別情報を、当該情報処理装置を管理する管理装置に送信し、
上記ユーザ識別情報、上記パスワード、および上記装置識別情報が上記管理装置において互いに関連付けられて登録されたことを示す登録完了情報を受信し、
少なくとも上記装置識別情報を記憶し、
上記記憶手段に上記装置識別情報が記憶されていないときは当該情報処理装置の属性を示す装置属性情報と宣伝情報を要求する要求情報とを送信し、
上記要求情報に応じて、上記装置属性情報に対応する宣伝情報を受信する
ことを特徴とする情報処理装置の通信方法。
【請求項９】
サービスの宣伝情報を送信する情報管理装置の通信方法において、
ユーザを識別するユーザ識別情報、パスワード、および当該情報処理装置を識別する装置識別情報を情報処理装置から受信し、
上記ユーザ識別情報、上記パスワード、および上記装置識別情報を互いに関連付けて登録したことを示す登録完了情報を送信し、
上記情報処理装置が上記装置識別情報を記憶していないときに送信する、上記情報処理装置の属性を示す装置属性情報と宣伝情報を要求する要求情報とを受信し、
上記要求情報に応じて、上記装置属性情報に対応する宣伝情報を送信する
ことを特徴とする情報管理装置の通信方法。
【請求項１０】
サービスの宣伝情報を受信する情報処理装置の通信プログラムにおいて、
コンピュータに対して、
ユーザを識別するユーザ識別情報、パスワード、および当該情報処理装置を識別する装置識別情報を、当該情報処理装置を管理する管理装置に送信し、
上記ユーザ識別情報、上記パスワード、および上記装置識別情報が上記管理装置において互いに関連付けられて登録されたことを示す登録完了情報を受信し、
少なくとも上記装置識別情報を記憶し、
上記記憶手段に上記装置識別情報が記憶されていないときは当該情報処理装置の属性を
示す装置属性情報と宣伝情報を要求する要求情報とを送信し、
上記要求情報に応じて、上記装置属性情報に対応する宣伝情報を受信する
処理を実行させることを特徴とする情報処理装置の通信プログラム。
【請求項１１】
サービスの宣伝情報を送信する情報管理装置の通信プログラムにおいて、
コンピュータに対して、
ユーザを識別するユーザ識別情報、パスワード、および当該情報処理装置を識別する装置識別情報を情報処理装置から受信し、
上記ユーザ識別情報、上記パスワード、および上記装置識別情報を互いに関連付けて登録したことを示す登録完了情報を送信し、
上記情報処理装置が上記装置識別情報を記憶していないときに送信する、上記情報処理装置の属性を示す装置属性情報と宣伝情報を要求する要求情報とを受信し、
上記要求情報に応じて、上記装置属性情報に対応する宣伝情報を送信する
処理を実行させることを特徴とする情報管理装置の通信プログラム。
【発明の詳細な説明】
【技術分野】  本発明は情報処理装置、情報管理装置、情報処理装置の通信方法、情報管理装置の通信方法、情報処理装置の通信プログラム、および情報管理装置の通信プログラムに関し、特にサービスの宣伝情報を送受信する情報処理装置、情報管理装置、情報処理装置の通信方法、情報管理装置の通信方法、情報処理装置の通信プログラム、および情報管理装置の通信プログラムに関する。
【背景技術】  現在、インターネット上では、音楽に関する様々なサービスが行われている。例えば、市販されているＣＤ（Ｃｏｍｐａｃｔ  Ｄｉｓｃ）の楽曲情報、音声データ等を配信するサービス、ラジオ番組で現在放送している楽曲名称や演奏者名、楽曲が録音されているＣＤの名称や番号など楽曲の関連情報（ＮｏｗＯｎ−Ａｉｒ：ナウオンエアー）を提供するサービスが行われている。また、楽曲のディジタルデータを配信するサービス、ＣＤの通信販売のための注文受け付け等をするサービスが行われている。
これらのサービスを受信できる、例えば、オーディオ機器である情報処理装置がある。ユーザは、情報処理装置から、サービスを提供する、例えば、サーバである情報管理装置にユーザ登録をすることによって、各サービスを受けることができる。情報管理装置は、ユーザ登録をしていないユーザ（情報処理装置）に対し、サービスの宣伝情報を送信することが望ましい。
なお、コストをできるだけかけることなく、より効果的なデモンストレーションが行われるようにした記録媒体がある。この記録媒体には、デモンストレーション用であることを示す識別情報が記録されている。例えば、ビデオカメラは、装填された記録媒体に記録されている識別情報を識別することによって、デモモードとしての動作に移行するようにされる（例えば、特許文献１参照）。
【特許文献１】特開２００１−２０３９６３号公報（段落番号〔０１６１〕〜〔０１６４〕、図１４）。
しかし、ユーザＩＤなどのユーザ識別情報の入力によって、サービスの提供を受ける場合、ユーザがユーザ識別情報を情報処理装置に入力するまで、そのユーザがユーザ登録をしているかどうか判別できない。そのため、ユーザがユーザ登録をしていない場合において、サービスの入会を促す宣伝情報を情報処理装置が受信することは困難であるという問題点があった。
また、情報処理装置は性能、機能によっては、宣伝情報を受信することが困難な場合があるという問題点があった。
【発明の開示】
本発明はこのような点に鑑みてなされたものであり、ユーザがユーザ登録をしていない場合における、サービスの宣伝情報の受信を容易にし、また性能、機能に応じて宣伝情報を受信できる情報処理装置、情報管理装置、情報処理装置の通信方法、情報管理装置の通信方法、情報処理装置の通信プログラム、および情報管理装置の通信プログラムを提供することを目的とする。
本発明では上記問題を解決するために、サービスの宣伝情報を受信する情報処理装置において、ユーザを識別するユーザ識別情報、パスワード、および当該情報処理装置を識別する装置識別情報を、当該情報処理装置を管理する管理装置に送信する送信手段と、ユーザ識別情報、パスワード、および装置識別情報が管理装置において互いに関連付けられて登録されたことを示す登録完了情報を受信する受信手段と、少なくとも装置識別情報を記憶する記憶手段と、記憶手段に装置識別情報が記憶されていないときは当該情報処理装置の属性を示す装置属性情報と宣伝情報を要求する要求情報とを送信手段が送信するように制御する制御手段とを設け、受信手段が、要求情報に応じて、装置属性情報に対応する宣伝情報を受信するようにした。
このような情報処理装置によれば、ユーザを識別するユーザ識別情報、パスワード、および情報処理装置を識別する装置識別情報を、情報処理装置を管理する管理装置に送信し、少なくとも装置識別情報を記憶する。そして、装置識別情報が記憶されていないときは情報処理装置の属性を示す装置属性情報と宣伝情報を要求する要求情報とを管理装置に送信し、装置属性情報に対応する宣伝情報を受信する。
本発明の情報処理装置によれば、ユーザ識別情報、パスワード、および装置識別情報を管理装置に送信し、少なくとも装置識別情報を記憶する。よって、ユーザがユーザ登録をしているか否かは、装置識別情報が記憶されているか否かで判断でき、ユーザが管理装置に対しユーザ登録をしていない場合の宣伝情報の受信を容易にすることができる。
また、情報処理装置の属性を示す装置属性情報を送信し、装置属性情報に対応する宣伝情報を受信するので、性能、機能に応じて宣伝情報を受信することができる。
【図面の簡単な説明】  図１は、本発明の原理を説明する原理図である。
図２は、本発明の実施の形態に係るネットワークシステムを示す図である。
図３は、端末装置の外観を示す図である。
図４は、端末装置のハードウェアブロック図である。
図５は、端末装置のプログラムモジュール構成を示す図である。
図６は、総合サービスサーバのハードウェアブロック図である。
図７は、ユーザ登録の処理の流れを示したシーケンス図である。
図８は、端末装置の総合サービスサーバへの登録形態について説明する図である。
図９は、サービス開始の処理手順を示したフローチャートである。
図１０は、オートデモの画面例を示した図のその１である。
図１１は、オートデモの画面例を示した図のその２である。
図１２は、オートデモの画面例を示した図のその３である。
図１３は、オートデモの画面例を示した図のその４である。
【符号の説明】
１……情報処理装置、２……送信手段、３……受信手段、４……記憶手段、５……記憶媒体、６……制御手段、７……管理装置、１０，５０ａ〜５０ｃ……端末装置、１１，３５ａ……ＣＰＵ、１２……バス、１３……ＲＯＭ、１４……入力処理部、１５……操作入力部、１６……表示処理部、１７……表示装置、１９ａ，１９ｂ……メディアドライブ、２０……ＲＡＭ、２１……ＨＤＤ、２２……通信処理部、２３……ネットワークインタフェース、２４……オーディオデータ処理部、２５……スピーカ、２８……赤外線通信部、３０……ネットワーク、３１……ＣＤタイトル情報提供サーバ、３２……放送局サーバ、３３……音楽配信サーバ、３４……ＣＤショップサーバ、３５……総合サービスサーバ、４０……リモートコントローラ、４１ａ〜４１ｄ……方向キー、４２……決定キー、４３ａ〜４３ｃ……ファンクション選択キー、４４……ツールキー、４５……戻るキー
【発明を実施するための最良の形態】  以下、本発明の原理を図面を参照して詳細に説明する。図１は、本発明の原理を説明する原理図である。図１に示すように、情報処理装置１は、送信手段２、受信手段３、記憶手段４、および制御手段６を有している。情報処理装置１と管理装置７は接続され、通信することができる。
管理装置７は、ユーザ登録をしているユーザに対しては、楽曲やナウオンエアーなどのサービスを情報処理装置１に提供する。ユーザ登録をしていないユーザに対しては、ユーザ登録（サービスに入会）するよう、情報処理装置１に宣伝情報を送信する。
送信手段２は、ユーザを識別するユーザ識別情報、パスワード、および情報処理装置１を識別する装置識別情報を、情報処理装置１を管理する管理装置７に送信する。受信手段３は、ユーザ識別情報、パスワード、および装置識別情報が管理装置７において互いに関連付けられて登録されたことを示す登録完了情報を受信する。
記憶手段４は、送信手段２によって送信された装置識別情報を記憶媒体５に記憶する。制御手段６は、記憶手段４によって装置識別情報が記憶されていないときは、情報処理装置１の属性を示す装置属性情報と宣伝情報を要求する要求情報とを送信手段２が送信するように制御する。装置属性情報は、例えば、情報処理装置１が具備している表示装置の性能、機能である。
受信手段３は、制御手段６の制御によって、送信手段２が要求情報を送信したことにより、装置属性情報に対応する宣伝情報を管理装置７から受信する。
以下、原理図の動作について説明する。ユーザは、ユーザ登録をするとき、ユーザ識別情報、パスワード、および装置識別情報を情報処理装置１に入力する。送信手段２は、ユーザ識別情報、パスワード、および装置識別情報を管理装置７に送信する。受信手段３は、管理装置７からユーザ識別情報、パスワード、および装置識別情報を互いに関連付けられて登録されたことを示す登録完了情報を受信する。記憶手段４は、送信手段２によって送信された装置識別情報を記憶媒体５に記憶する。よって、ユーザが管理装置７に対し、ユーザ登録したときのみ、記憶媒体５に装置識別情報が記憶される。ユーザがユーザ登録をしていないときは、装置識別情報は、記憶媒体５に記憶されない。
制御手段６は、記憶手段４によって装置識別情報が記憶されていないときは、情報処理装置１の属性を示す装置属性情報と宣伝情報を要求する要求情報とを送信手段２が送信するように制御する。
このように装置識別情報が記憶されていないとき、すなわち、ユーザが管理装置７に対してユーザ登録をしていないとき、情報処理装置１は、情報処理装置の属性を示す装置属性情報と、宣伝情報を要求する要求情報とを管理装置７に送信する。そして、受信手段３は、装置属性情報に対応する宣伝情報を管理装置７から受信する。よって、ユーザがユーザ登録をしているか否かは、装置識別情報が記憶媒体５に記憶されているか否かで判断でき、ユーザが管理装置７に対しユーザ登録をしていない場合の宣伝情報の受信を容易にすることができる。
また情報処理装置１は、自身の属性を示す装置属性情報を送信し、装置属性情報に対応する宣伝情報を受信するので、性能、機能に応じて宣伝情報を受信することが可能となる。
次に、本発明の実施の形態を図面を参照して詳細に説明する。なお、以下の説明では、楽曲または楽曲集合に関する関連情報を保存する処理を、クリップと呼ぶこととする。
図２は、本発明の実施の形態に係るネットワークシステムを示す図である。端末装置１０は、ネットワーク３０を介して各種サーバに接続されている。ネットワーク３０は、例えば、インターネットである。サーバとしては、ＣＤタイトル情報提供サーバ３１、放送局サーバ３２、音楽配信サーバ３３、ＣＤショップサーバ３４、総合サービスサーバ３５などがある。
ＣＤタイトル情報提供サーバ３１は、市販されているＣＤの楽曲情報の配信サービスを行う。放送局サーバ３２は、ＦＭ放送やテレビ（ＴＶ）放送等の放送局が管理するサーバであり、放送する楽曲の関連情報の提供サービスを行う。
なお、放送局サーバ３２により提供される関連情報の提供機能は、大別して次の２つに分かれる。第１の機能は、現在放送中の番組のナウオンエアーを提供する機能である。第２の機能は、端末装置１０から要求に応じて、既に放送した楽曲の関連情報（ＯｎＡｉｒＬｉｓｔ：オンエアーリスト）を提供する機能である（オンエアーリストには、各楽曲の関連情報も含まれる）。例えば、放送局サーバ３２は、指定された番組内で放送した楽曲の関連情報を提供したり、指定された時間帯内に放送した楽曲の関連情報を提供したりする。
音楽配信サーバ３３は、楽曲のディジタルデータ（楽曲データ）を配信するサービスを行うサーバである。例えば、音楽配信サーバ３３は、楽曲の購入手続きを行ったユーザの端末装置１０に対してのみ、楽曲データを提供する。また、音楽配信サーバ３３は、配信する楽曲の関連情報を提供することができる。
ＣＤショップサーバ３４は、ＣＤの通信販売のための注文受け付け等を行うサーバである。ＣＤショップサーバ３４は、試聴用の音声データ等の配信サービスや、販売しているＣＤに収録された楽曲の関連情報の提供サービスも行う。
総合サービスサーバ３５は、ネットワーク３０を介したサービスの提供窓口（ポータルサイト）として機能し、各種総合サービスの提供を仲介する。例えば、放送されている楽曲の関連情報の配信元を示す情報（例えば、ＵＲＬ（Ｕｎｉｆｏｒｍ  Ｒｅｓｏｕｒｃｅ  Ｌｏｃａｔｏｒ））を、端末装置１０に配信する。
このように、複数のサーバが、ネットワーク３０上の楽曲または楽曲集合に関する情報の提供サービスを行っている。すなわち、各サーバが、ネットワーク３０上の楽曲または楽曲集合のソースとして機能している。
なお、音楽配信サーバ３３とＣＤショップサーバ３４は、楽曲購入可能サーバである。従って、ユーザが端末装置１０を操作して楽曲購入可能サーバにアクセスすれば、ネットワーク３０を介して実際に楽曲や楽曲の集合を購入できる。端末装置１０のユーザは、音楽配信サーバ３３に対して購入手続きを行うことで、音楽配信サーバ３３から楽曲データをダウンロードできる。また、端末装置１０のユーザは、ＣＤショップサーバ３４に対して購入手続きを行うことで、自宅にＣＤを宅配してもらうことができる。
端末装置１０は、ＣＤ２９ａ、ＭＤ（Ｍｉｎｉ  Ｄｉｓｃ）２９ｂ、ハードディスクドライブ（ＨＤＤ）２１等の記録媒体に、ローカル上の楽曲または楽曲の集合のソースを保持している。なお、ＣＤ２９ａとＭＤ２９ｂとは、可搬型の記録媒体であり、端末装置１０に対して容易に着脱できる。端末装置１０に対してどのようなローカルソースが用意されるかは、端末装置１０の種類、目的により異なる。
なお、図２に示したローカル上の楽曲または楽曲集合のソースは一例である。すなわち、端末装置１０のローカルに存在する記録媒体であれば、楽曲または楽曲集合を記録することで、ローカル上の楽曲または楽曲の集合のソースとして機能させることができる。
また、端末装置１０は、クリップした関連情報を記憶するクリップ情報記憶装置２１ａを備えている。クリップ情報記憶装置２１ａは、端末装置１０の二次記憶装置である。例えば、ＨＤＤ２１等の記憶領域の一部を、クリップ情報記憶装置２１ａとして機能させることができる。なお、端末装置１０は、クリップを楽曲に対しても、楽曲集合に対しても行うことができる。これにより、気になる楽曲が多数含まれたＦＭ番組、ＣＤアルバム等については、まるごとクリップすることで、１回のクリップ動作で、気になる楽曲集合の関連情報を記録することができる。
ところで、本実施の形態における端末装置１０は、楽曲の再生機能を有するオーディオ機器としての機能を兼ね備えている。図３は、端末装置の外観を示す図である。図３に示すように、本実施の形態に係る端末装置１０は、一般的なシステムコンポと同様の外観をしている。端末装置１０は、装置本体１０ａ、スピーカ２５ａ，２５ｂ、およびリモートコントローラ４０で構成される。装置本体１０ａには、ＣＤやＤＶＤ（Ｄｉｇｉｔａｌ  Ｖｅｒｓａｔｉｌｅ  Ｄｉｓｃ）の再生機能、ＭＤの録音再生機能、およびＦＭ放送やＴＶ放送の受信機能を備えている。装置本体１０ａで生成した音声信号がスピーカ２５ａ，２５ｂに送られることで、スピーカ２５ａ，２５ｂから音が出力される。
また、装置本体１０ａには、表示装置１７が設けられている。表示装置１７には、再生中の楽曲の関連情報や、クリップによって保存された関連情報等が表示される。リモートコントローラ４０は、装置本体１０ａを遠隔操作するための入力装置である。リモートコントローラ４０には複数の操作キーが設けられている。ユーザによって操作キーが押されると、赤外線等の無線の通信手段により、押された操作キーに応じた信号がリモートコントローラ４０から装置本体１０ａに送信される。
操作キーとしては、方向キー４１ａ〜４１ｄ、決定キー４２、ファンクション選択キー４３ａ〜４３ｃ、ツールキー４４、戻るキー４５等がある。方向キー４１ａ〜４１ｄは、例えば、表示装置１７に表示されたカーソルや、フォーカスが当てられる場所を移動させるために使用される。４つの方向キー４１ａ〜４１ｄは、それぞれ上、下、左、右それぞれの方向に対応しており、押された方向キーに対応する方向にカーソル等が移動する。
決定キー４２は、例えば、表示装置１７に表示された内容を確定するために使用される。ファンクション選択キー４３ａ〜４３ｃは、機能の選択に使用される。例えば、３つのファンクション選択キー４３ａ〜４３ｃは、それぞれ総合サービス利用機能、チューナ機能、ローカルコンテンツ管理機能に対応付けられている。そして、ファンクション選択キー４３ａ〜４３ｃの何れか１つが押されると、装置本体１０ａは、押されたファンクション選択キーに対応する機能の動作モードになる。
ツールキー４４は、表示装置１７上にツールメニューを表示させるためのボタンである。ツールメニュー内には、表示装置１７に表示されている内容に応じたコマンドが表示される。ツールメニューからユーザが任意のコマンドを選択し、そのコマンドに応じた処理を端末装置１０に実行させることができる。例えば、ユーザが方向キー４１ａ〜４１ｄを操作して任意のコマンドを選択し、さらに決定キー４２を押すことで、選択されたコマンドに応じた処理が端末装置１０で実行される。
戻るキー４５は、表示装置１７の表示内容を、直前の状態に戻すためのボタンである。なお、リモートコントローラ４０には、図３に示したもの以外にも様々な操作キーを設けることができる。例えば、音量調節キー、ＣＤ等の再生キー、停止キーなどである。
次に、端末装置１０の内部構成を説明する。図４は、端末装置のハードウェアブロック図である。図４に示すような端末装置１０により、楽曲等の様々なソースを管理、記録、再生が可能となる。ＣＰＵ１１は、起動されたプログラムに基づいて端末装置１０の全体の制御、演算処理を行う。例えば、ネットワーク３０を介した通信動作、ユーザに対する入出力動作、メディアからのコンテンツ再生やクリップ、ＨＤＤ２１へのコンテンツ記憶やそのための管理、クリップ情報等に基づくネットワーク３０を介した情報検索などを行う。なお、本実施の形態の端末装置１０が対応している記録再生可能なコンテンツデータとしては、オーディオのコンテンツデータや動画のコンテンツデータである。ＣＰＵ１１は、バス１２を介して各回路部との間で制御信号やデータのやりとりを行う。
ＲＯＭ（Ｒｅａｄ  Ｏｎｌｙ  Ｍｅｍｏｒｙ）１３は、ＣＰＵ１１が実行すべき動作プログラム、プログラムローダーや、各種演算係数、プログラムで用いるパラメータ等が記憶される。また、ＲＡＭ２０には、ＣＰＵ１１が実行すべきプログラムが展開される。また、ＣＰＵ１１が各種処理を実行する際において必要となるデータ領域、タスク領域としても用いられる。
操作入力部１５は、端末装置１０の筐体に設けられた操作キーやジョグダイヤル、タッチパネルなどの各種操作子などを有する。なお、ＧＵＩ（Ｇｒａｐｈ−ｉｃａｌ  Ｕｓｅｒ  Ｉｎｔｅｒｆａｃｅ）操作のためのキーボードやマウスが操作入力部１５として設けられてもよい。操作入力部１５で入力された情報は入力処理部１４において所定の処理が施され、ＣＰＵ１１に対して操作コマンドとして伝送される。ＣＰＵ１１は入力された操作コマンドに応答した機器としての動作が得られるように、所要の演算や制御を行う。
表示装置１７としては、例えば、液晶ディスプレイなどの表示デバイスが接続され、各種情報表示が行われる。ＣＰＵ１１が各種動作状態や入力状態、通信状態に応じて表示情報を表示処理部１６に供給すると、表示処理部１６は供給された表示データに基づいて表示装置１７に表示動作を実行させる。例えば、表示装置１７には、サーバ等から配信された関連情報の内容や、クリップ情報の内容が表示される。また、ネットワーク３０を介した楽曲の検索が行われた場合、検索結果が表示装置１７に表示される。
メディアドライブ１９ａ，１９ｂは、可搬型の記録媒体に記録された楽曲等のコンテンツを記録、再生（記録媒体によって再生のみの場合もある）することができるドライブである。なお、メディアドライブ１９ａ，１９ｂそれぞれが記録、または再生可能な記録媒体の種類は、１種類とは限らない。すなわち、複数の種類の記録媒体に対して記録、再生を行うことも可能である。例えば、メディアドライブ１９ａがＣＤ、ＤＶＤの再生を行い、メディアドライブ１９ｂがＭＤの記録再生を行う。
なお、楽曲等のコンテンツを記録する可搬型の記録媒体としては、ＣＤ、ＤＶＤ等の光学的な記録媒体に限定されるべきものではない。例えば、フラッシュメモリなどの半導体メモリにより構成された記録媒体にコンテンツを格納することもできる。その場合、フラッシュメモリのリーダライタがバス１２に接続される。
ユーザは、メディアドライブ１９ａ，１９ｂに、任意のコンテンツが記録された記録媒体（ＣＤ，ＤＶＤ，ＭＤなど）を挿入し、リモートコントローラ４０で所定の操作を行うことにより楽曲等を鑑賞することができる。例えば、ユーザがリモートコントローラ４０を操作し、メディアドライブ１９ａによる再生指示を行うと、ＣＰＵ１１はメディアドライブ１９ａに対してコンテンツの再生を指示する。これに応じて、メディアドライブ１９ａは、装填されている記録媒体から、指定されたコンテンツにアクセスして読み出しを実行する。
このようにして読み出されたコンテンツが、オーディオコンテンツである場合には、必要に応じてＣＰＵ１１の処理によってデコード処理等が施された後、オーディオデータ処理部２４に転送される。オーディオデータ処理部２４においては、イコライジング等の音場処理や音量調整、Ｄ／Ａ変換、増幅等の処理が施され、スピーカ部２５から出力される。なお、スピーカ部２５は、図３に示したような複数のスピーカ２５ａ，２５ｂで構成され、ステレオで音声を出力することができる。
また、メディアドライブ１９ａ，１９ｂにて再生されたコンテンツは、ＣＰＵ１１の制御によって、ＨＤＤ２１にオーディオデータファイルとして蓄積することもできる。なお、このオーディオデータファイルの形式としては、ＣＤフォーマットにおけるサンプリング周波数４４．１ＫＨｚで１６ビット量子化のデジタルオーディオデータとしてもよい。また、ＨＤＤ２１の容量を節約するために、所定方式にしたがって圧縮処理が施された形式の圧縮オーディオデータとされてもよい。この場合の圧縮方式としては、例えばＡＴＲＡＣ（Ａｄｖａｎｃｅｄ  ＴＲａｎｓｆｏｒｍ  Ａｃｏｕｓｔｉｃ  Ｃｏｄｉｎｇ、商標）方式やＭＰ３（ＭＰＥＧ  Ａｕｄｉｏ  Ｌａｙｅｒ−３）方式などを採用することができる。
チューナ部２７は、例えば、ＡＭ・ＦＭラジオチューナとされ、ＣＰＵ１１の制御に基づいてアンテナ２６で受信された放送信号を復調する。もちろんテレビチューナや衛星放送チューナ、デジタル放送チューナなどとしてのチューナでもよい。復調された放送音声信号は、オーディオデータ処理部２４において所要の処理が施され、スピーカ部２５から放送音声として出力される。
通信処理部２２は、ＣＰＵ１１の制御に基づいて送信データのエンコード処理、受信データのデコード処理を行う。ネットワークインタフェース２３は、通信処理部２２でエンコードされた送信データを、ネットワーク３０を介して所定の外部ネットワーク対応機器に送信する。また、ネットワークインタフェース２３は、ネットワーク３０を介して外部ネットワーク対応機器から送信されてきた信号を通信処理部２２に受け渡す。通信処理部２２は、受信した情報をＣＰＵ１１に転送する。ネットワーク３０を介して受信する情報には、例えば、ＦＭ等で放送中の番組の関連情報や、ＣＤ等のタイトルに含まれる楽曲の情報がある。
赤外線通信部２８は、リモートコントローラ４０との間で、赤外線等の無線の通信手段で通信を行う。そして、赤外線通信部２８は、リモートコントローラ４０から送られた信号に所定の処理を施し、ＣＰＵ１１に対して操作コマンドとして伝送する。ＣＰＵ１１は、入力された操作コマンドに応答した機器としての動作が得られるように、所要の演算や制御を行う。
なお、端末装置１０の構成は、この図４の構成に限られるものではなく、更に多様に考えられる。例えば、ＵＳＢ（Ｕｎｉｖｅｒｓａｌ  Ｓｅｒｉａｌ  Ｂｕｓ）、ＩＥＥＥ１３９４、Ｂｌｕｅｔｏｏｔｈなどの通信方式による周辺機器とのインタフェースが設けられるようにしてもよい。そして上記ネットワークインタフェース２３によりネットワーク３０を介してダウンロードしたオーディオのコンテンツや、上記ＵＳＢ、ＩＥＥＥ１３９４などのインタフェースを経由して転送されてきたオーディオのコンテンツについても、ＨＤＤ２１に対して記憶させることができる。またマイクロホンや外部のヘッドホンの接続に用いられる端子や、ＤＶＤ再生時に対応するビデオ出力端子、ライン接続端子、光デジタル接続端子等が設けられてもよい。また、ＰＣＭＣＩＡスロット、メモリカードスロットなどが形成され、外部の情報処理装置やオーディオ機器とデータのやりとりが可能とされてもよい。
次に、本実施の形態のシステムにおけるプログラムモジュールの構成について説明する。なお、プログラムモジュールは端末装置１０に実行させる処理を記述した情報であり、プログラムモジュールに基づいて端末装置１０が所定の機能を実現することができる。以下の説明では、プログラムモジュールを実行することで実現される機能を、そのプログラムモジュールの名称で呼ぶこととする。
図５は、端末装置１０のプログラムモジュール構成を示す図である。図５に示すように端末装置１０のプログラムモジュールはＯＳ上で動作するように構成されている。端末装置１０は、各プログラムモジュールの機能によって、ＣＤタイトル情報提供サーバ３１、放送局サーバ３２、音楽配信サーバ３３、ＣＤの物販を行うＣＤショップサーバ３４、総合サービスサーバ３５、インターネットラジオサーバ３６、その他の各種サーバと通信を行うことができる。
ＨＴＴＰ（Ｈｙｐｅｒ  Ｔｅｘｔ  Ｔｒａｎｓｆｅｒ  Ｐｒｏｔｏｃｏｌ）メッセージプログラム１１１は、ＣＤタイトル情報提供サーバ３１、放送局サーバ３２、ＣＤショップサーバ３４、および総合サービスサーバ３５等の各種サーバとの間のやりとりをＨＴＴＰ通信で行うものである。コミュニケータプログラム１１２は、総合サービスサーバ３５等と各種通信を行う通信モジュールである。
コミュニケータプログラム１１２の上位（ユーザインタフェースに近い機能）には、コンテンツのコーデックを解釈して再生するコンテンツ再生モジュール１１３、著作権保護に関する情報を取り扱う著作権保護情報管理モジュール１１４が位置する。コンテンツ再生モジュール１１３の上位には、インターネットラジオの選局及び再生を行うインターネットラジオ選局再生モジュール１１８が設けられている。著作権保護情報管理モジュール１１４の上位には、楽曲購入及び試聴曲の再生を司る楽曲購入再生モジュール１１９が設けられている。
さらに、これらインターネットラジオ選局再生モジュール１１８、楽曲購入再生モジュール１１９の上位にはＸＭＬ（ｅＸｔｅｎｓｉｂｌｅ  Ｍａｒｋｕｐ  Ｌａｎｇｕａｇｅ）ブラウザ１５１が設けられている。ＸＭＬブラウザ１５１は、各種サーバから送られるＸＭＬファイルの内容を解釈し、表示装置１７に対して画面表示を行う。また、端末装置１０が総合サービス利用モードのときにユーザが端末装置１０に対して行った入力内容はＸＭＬブラウザ１５１で解釈される。そして、ＸＭＬブラウザ１５１から他のモジュールへ、入力内容に応じた処理要求等が渡される。例えば、ＸＭＬブラウザ１５１を介してユーザに選択された楽曲は楽曲購入再生モジュール１１９で購入処理され、ハードディスクコンテンツコントローラ１１７を介してＨＤＤ２１に書き込まれる。
コミュニケータプログラム１１２には、ライブラリ１３０の認証ライブラリ１３１が接続されている。認証ライブラリ１３１は、総合サービスサーバ３５やその他の各種サーバの認証処理を行う。
さらにコミュニケータプログラム１１２の上位には、データベースアクセスモジュール１１５、コンテンツデータアクセスモジュール１１６及びハードディスクコンテンツコントローラ１１７が設けられている。データベースアクセスモジュール１１５は、ＨＤＤ２１に構築された各種データベースにアクセスする。コンテンツデータアクセスモジュール１１６はＨＤＤ２１に格納されたコンテンツにアクセスする。ハードディスクコンテンツコントローラ１１７はＨＤＤ２１に格納されたコンテンツを管理する。
ハードディスクコンテンツコントローラ１１７の上位には、関連情報表示モジュール１２０、チューナ選局再生／録音モジュール１２１、および楽曲購入再生モジュール１１９が設けられている。関連情報表示モジュール１２０は、ラジオ局が放送した楽曲のタイトル及びアーティスト名を表示装置１７に表示する。チューナ選局再生／録音モジュール１２１は、ラジオ局を選局したり、当該ラジオ局から受信した楽曲のコンテンツをＨＤＤ２１に録音したりする。
例えば、オーディオユーザインタフェース（ＡｕｄｉｏＵＩ）１５２を介して選局されたラジオ局から受信した楽曲は、コンテンツデータアクセスモジュール１１６を介してＨＤＤ２１へ書き込まれる。
関連情報表示モジュール１２０は、チューナ選局再生／録音モジュール１２１によって現在ラジオ局が放送している楽曲のタイトルやアーティスト名を関連情報としてＣＤタイトル情報提供サーバ３１、放送局サーバ３２等からＨＴＴＰメッセージプログラム１１１経由で受信し、これをオーディオユーザインタフェース１５２を介して表示装置１７に表示する。
なお、オーディオユーザインタフェース１５２を介して表示装置１７に表示した関連情報は、ライブラリ１３０のクリップライブラリ１３２に一時的に記憶させることができる。また、関連情報は、ユーザからの指示に従って最終的にはデータベースアクセスモジュール１１５を介してＨＤＤ２１へ記憶させることもできる。
さらに端末装置１０のプログラムモジュールとしては、ＣＤを再生するためのＣＤ再生モジュール１４１と、ＨＤＤ２１を再生するためのＨＤＤ再生モジュール１４２とが含まれており、再生結果をオーディオデータ処理部２４及びスピーカ部２５を介して出力する。
このような構成の端末装置１０において、サーバから関連情報を取得し、その関連情報をクリップすることができる。なお、クリップと同時に、楽曲の検索や購入処理を行うこともできる。
次に総合サービスサーバ３５の内部構成を説明する。図６は、総合サービスサーバのハードウェアブロック図である。図６に示す総合サービスサーバ３５は、ＣＰＵ３５ａによって装置全体が制御されている。ＣＰＵ３５ａには、バス３５ｇを介してＲＡＭ３５ｂ、ＨＤＤ３５ｃ、グラフィック処理装置３５ｄ、入力インタフェース３５ｅ、および通信インタフェース３５ｆが接続されている。
ＲＡＭ３５ｂには、ＣＰＵ３５ａに実行させるＯＳ（Ｏｐｅｒａｔｉｎｇ  Ｓｙｓｔｅｍ）のプログラムや端末装置１０に各種情報を提供するアプリケーションプログラムの少なくとも一部が一時的に格納される。また、ＲＡＭ３５ｂには、ＣＰＵ３５ａによる処理に必要な各種データが保存される。ＨＤＤ３５ｃには、ＯＳや情報を提供するアプリケーションプログラムなどが格納される。
グラフィック処理装置３５ｄには、モニタ３５ｈが接続されている。グラフィック処理装置３５ｄは、ＣＰＵ３５ａからの命令に従って、画像をモニタ３５ｈの表示画面に表示させる。入力インタフェース３５ｅには、キーボード３５ｉと、マウス３５ｊとが接続されている。入力インタフェース３５ｅは、キーボード３５ｉやマウス３５ｊから送られてくる信号を、バス３５ｇを介してＣＰＵ３５ａに送信する。
通信インタフェース３５ｆは、ネットワーク３０に接続されている。通信インタフェース３５ｆは、ネットワーク３０を介して端末装置１０や、各種サーバと通信を行う。総合サービスサーバ３５は、以上のようなハードウェア構成によって、本実施の形態の処理機能を実現することができる。なお、図６には、総合サービスサーバ３５のハードウェア構成を代表的に説明したが、他のサーバも同様のハードウェア構成で実現することができる。
次に、総合サービスサーバ３５へのユーザ登録について説明する。ユーザが各種サーバのサービスを受けるには、総合サービスサーバ３５に対しユーザ登録をしなければならない。ユーザは、端末装置１０よりユーザ登録に必要な情報を入力して総合サービスサーバ３５に送信し、ユーザＩＤ、パスワードを取得する。このときユーザは、端末装置１０に端末ＩＤを入力する。端末ＩＤは、ユーザが複数の端末装置を所有している場合に、各端末装置を識別する識別子で、ユーザによって任意に入力される。この端末ＩＤは、端末装置１０のＣＰＵ１１によって総合サービスサーバ３５に送信されて登録されると共に端未装置１０のＲＯＭ１３またはＨＤＤ２１に記憶される。
ここで端末装置１０から総合サービスサーバ３５へのユーザ登録の処理の流れを、図７を用いて説明する。この図７は、ユーザ登録の処理の流れを示したシーケンス図である。
ステップＳ１において、端末装置１０のＣＰＵ１１は、ユーザの操作によって入力されたユーザＩＤおよびパスワードを登録するために、当該ユーザＩＤおよびパスワードを登録情報の一部として総合サービスサーバ３５に送信する。なお、端末装置１０と総合サービスサーバ３５との通信には、全てＳＳＬ（Ｓｅｃｕｒｅ  Ｓｏｃｋｅｔ  Ｌａｙｅｒ）を使用しており、これにより第３者への情報の漏洩を防止するようになされている。
ステップＳ１１において、総合サービスサーバ３５のＣＰＵ３５ａは、登録情報の一部としてのユーザＩＤ及びパスワードを受信する。ステップＳ１２において、ＣＰＵ３５ａは、受信したユーザＩＤ及びパスワードを、これら情報が管理された管理テーブルと比較し、重複するユーザＩＤが存在しないことを確認して当該ユーザＩＤを登録し、その登録が完了したことをユーザ登録完了情報として端末装置１０に送信する。なお、ユーザＩＤの重複があった場合、ＣＰＵ３５ａは、他のユーザＩＤの入力を促すメッセージを端末装置１０に送信し、ユーザに入力させた他のユーザＩＤおよびパスワードを端末装置１０から送信させる。
ステップＳ２において、端末装置１０のＣＰＵ１１は、受信したユーザ登録完了情報に応じてユーザＩＤの登録が完了したことを表示装置１７に表示する。ステップＳ３において、ＣＰＵ１１は、ユーザによる所定の登録操作に基づいて端末ＩＤおよび公開設定を端末装置１０のＨＤＤ２１に記憶する。なお、公開設定とは、他のユーザに対して当該端末装置１０の存在を公開（例えばネットワーク３０上で公開）するか否かの設定をすることをいう。
ステップＳ４において、ＣＰＵ１１は、端末ＩＤおよび公開設定を登録情報の残りとして総合サービスサーバ３５に送信する。ステップＳ１３において、総合サービスサーバ３５のＣＰＵ３５ａは、端末装置１０から送信された登録情報の残りとしての端末ＩＤおよび公開設定を受信する。
ステップＳ１４において、ＣＰＵ３５ａは、ユーザＩＤと関連付けて端末ＩＤおよび公開設定を管理テーブルに登録する。ステップＳ１５において、ＣＰＵ３５ａは、端末ＩＤおよび公開設定の登録が完了したことを表す登録完了情報を端末装置１０に送信し、総合サービスサーバ３５側のユーザ登録における処理を終了する。
ステップＳ５において、端末装置１０のＣＰＵ１１は、総合サービスサーバ３５から登録完了情報を受信する。ステップＳ６において、ＣＰＵ１１は、ユーザ登録が完了したことを表示装置１７に表示してユーザに通知し、ユーザ登録における処理を終了する。
ところで、端末装置１０のＣＰＵ１１は、ユーザから受け付けたユーザＩＤ、パスワードをＲＡＭ２０に記憶する。また、ＣＰＵ１１は、受け付けた端末ＩＤをＲＯＭ１３またはＨＤＤ２１に記憶する。よって、サーバに再度アクセスする必要が生じた場合、例えば、電源が切られたなど、消去されない限りＲＡＭ２０に記憶されたユーザＩＤ、パスワードが再利用され、入力する手間が省かれる。端末ＩＤは、ＲＯＭ１３またはＨＤＤ２１に記憶されているので消去されない。
なお、ユーザ（端末装置１０）は、総合サービスサーバ３５によってユーザ認証されるとチケットが発行される。これによって、端末装置１０は、実際にサービスを提供する各種サーバにアクセスすることができる。各種サーバは、例えば、チケットに含まれる認証完了時刻などを参照することにより、端末装置１０のユーザが正規ユーザとして最近（例えば、過去１分以内）認証されたか否かを判断し、認証されていると判断した場合は、端末装置１０からの要求に応じたサービスを行う。
次に、端末装置の総合サービスサーバへの登録形態について説明する。図８は、端末装置の総合サービスサーバへの登録形態について説明する図である。図８において端末装置５０ａ〜５０ｃは、図３で示した端末装置１０の外観と同様の外観を有し、図４で示した端末装置１０のハードウェアブロックと同様のハードウェアブロックを有するとする。端末装置５０ａ〜５０ｃは、ユーザＡが所有しているとする。ユーザＡは、総合サービスサーバ３５にユーザ登録をすると、ＣＤタイトル情報提供サーバ３１、放送局サーバ３２、音楽配信サーバ３３が提供するサービスを受けることができる。
ここでユーザＡは、総合サービスサーバ３５のサービスを受けている（ユーザ登録をしている）とする。このときユーザＡは、総合サービスサーバ３５にユーザ登録したユーザＩＤを所有している。そして端末装置５０ａ〜５０ｃには、それぞれユーザが任意に付けたニックネームＮ１〜Ｎ３（端末ＩＤ）が付与されている。ニックネームＮ１〜Ｎ３は、端末装置５０ａ〜５０ｃのＨＤＤに記憶される。同一ユーザが所有する端末装置内では、ニックネーム（端末ＩＤ）はユニークであり、総合サービスサーバ３５のサービスを受けている端末装置内ではユニークでなくてもよい。つまり、同一ユーザでなければ、同じニックネームを持っていてもよい。こうすることで、ユーザＩＤとニックネームとの組み合わせによりサービス対象を決定することができる。これによりユーザＡは、ＣＤタイトル情報提供サーバ３１、放送局サーバ３２、音楽配信サーバ３３が提供するサービスを受けることができる。なお、ニックネームは、１度付けると変更できないようにしてもよい。
次にオートデモについて説明する。端末装置１０の表示装置１７には、ユーザが総合サービスサーバ３５に入会（ユーザ登録していない）していない場合、入会するように促進するオートデモが表示される。
まず、端末装置１０のＣＰＵ１１は、ユーザが総合サービスサーバ３５のサービスに入会しているか否かを判断する必要がある。これは、ＨＤＤ２１に記憶される端末ＩＤによって判断する。具体的には、ＨＤＤ２１に端末ＩＤが記憶されていれば、ユーザはユーザ登録されているので端末装置１０がオートデモをする必要はない。これに対してＨＤＤ２１に端末ＩＤが記憶されていなければ、端末装置１０が、自身の性能や機能を示す装置属性情報と、オートデモを要求する要求信号とを総合サービスサーバ３５に送信する。
総合サービスサーバ３５のＣＰＵ３５ａは、端末装置１０から装置属性情報と、オートデモを要求する要求信号を受信すると、この受信した装置属性情報に応じたオートデモの画像データを端末装置１０に送信する。
端末装置１０のＣＰＵ１１は、受信したオートデモの画像データを表示装置１７に表示する。
ここで、図９を用いてオートデモのサービス開始の処理を詳述する。図９は、サービス開始の処理手順を示したフローチャートである。ステップＳ２１において、端末装置１０のＣＰＵ１１は、総合サービスザーバ３５に接続する。
ステップＳ２２において、ＣＰＵ１１は、ＨＤＤ２１にニックネーム（端末ＩＤ）が記憶されているか否かを検出する。ニックネームが記憶されていれば（すなわちユーザ登録されていれば）、ステップＳ２３へ進む。ニックネームが記憶されていなければ（すなわちユーザ登録されていなければ）、ステップＳ２４へ進む。
ステップＳ２３において、ＣＰＵ１１は、ユーザＩＤ、パスワードをユーザから受け付け、総合サービスサーバ３５に送信する。なお、ユーザＩＤ、パスワードが総合サービスサーバ３５によって認証されれば、サービスの提供が開始される。
ステップＳ２４において、ＣＰＵ１１は、端末装置１０の属性を示す装置属性情報と、オートデモを要求する信号を総合サービスサーバ３５へ送信する。この装置属性情報とは、例えば、ＣＰＵ１１の処理能力、表示装置１７の表示能力、オートデモのデータが一時記憶されるＲＡＭ２０の記憶容量である。また、端末装置１０がバッテリを搭載し、持ち運び可能な装置であれば、バッテリの有無情報も含む。
ステップＳ２５において、ＣＰＵ１１は、総合サービスサーバ３５への入会を促進するオートデモのデータを総合サービスサーバ３５から受信し、表示装置１７に表示する。ステップＳ２６において、ＣＰＵ１１は、オートデモの表示が終わると、ユーザからユーザＩＤを受け付ける。ユーザＩＤが入力されることによって、ユーザがサービスに入会しているか否かを判断できる。ユーザがサービスに入会していなければステップＳ２７へ進む。サービスに入会されていればステップＳ２８へ進む。
ステップＳ２７において、ＣＰＵ１１は、サービスの入会手続きを受け付ける。これは、図７に示したユーザ登録の流れと同様にして行われる。ステップＳ２８において、ＣＰＵ１１は、ユーザからニックネームを受け付ける。受け付けたニックネームは、総合サービスサーバ３５へ送信される。ステップＳ２９において、ＣＰＵ１１は、他のサービスの入会案内を行う。他のサービスとは、総合サービスサーバ３５が有するページ情報からリンクされる各種サーバの提供しているサービスである。ＣＰＵ１１は、各種サーバの提供しているサービスの入会案内のオートデモを送信するように総合サービスサーバ３５に要求する。総合サービスサーバ３５は、要求に応じて入会案内のオートデモのデータを端末装置１０に送信する。端末装置１０は、入会案内のオートデモのデータを受信し、表示装置１７に表示する。なお、この処理は、必須ではない。
なお、総合サービスサーバ３５は、端末装置１０から送信される装置属性情報に応じた内容のオートデモのデータを送信する。例えば、端末装置１０のＣＰＵ１１の処理能力、表示装置１７の表示能力が低ければ、オートデモを表示できるように画質を下げたデータを送信する。また、ＲＡＭ２０の記憶容量が小さければ、その記憶容量にあわせるよう少量のオートデモのデータを送信する。さらに、端末装置１０がバッテリで動作しているならば、電力を浪費しないように少量のオートデモのデータを送信する。
次に、ナウオンエアーのオートデモを、画面例の図を用いて説明する。図１０〜１３は、オートデモの画面例を示した図である。オートデモの画面は、時間が経過するに従い変化し、図１０から図１３の順に変化していく。
図１０の画面６１に示すように、表示装置１７には、ナウオンエアーのオートデモの画面が表示される。画面６１には、ＴＦＭ局のナウオンエアーが表示されており、番組名、現在流れている楽曲名、歌手名が表示されている。また、ナウオンエアーの情報を選択するための方法が示してある。なお、周波数は７６．××ＭＨｚ、番組名は特許カウントダウンジャパン（司会者名○○太郎、△△次郎）、楽曲名はＳｉｇｎ、歌手名は特許三郎となっている。また、矢印で決定を選ぶようにナウオンエアーの情報の選択方法が示してある。
所定時間経過すると図１１に示す画面６２が表示される。画面６２には、ポップアップメニュー６２ａが示されている。６２ａには、ツールの一覧が表示され、ツールの一つであるクリップに下線が示してある。これらは、オートデモなので自動的に表示される。なお、実際では、リモートコントローラ４０のツールキー４４を押下して、ポップアップメニュー６２ａを表示し、方向キー４１ａ〜４１ｄでツールの一覧を選択することになる。
さらに所定時間経過すると図１２に示す画面６３が表示される。画面６３には、クリップフォルダにクリップされるナウオンエアーが表示される。また、画面６３には、過去にクリップしたナウオンエアーも表示されている。
さらに所定時間経過すると図１３に示す画面６４が表示される。画面６４には、クリップフォルダにクリップされたナウオンエアーが表示される。
以上のように、ナウオンエアーのオートデモの画面は遷移し、ナウオンエアーを容易にクリップし得る旨をユーザに伝えることにより、ナウオンエアーの入会をユーザに促す。なお、ナウオンエアー以外のその他のサービスも順にオートデモするようにしてもよい。
このように、端末装置１０は、ユーザ登録時に端末ＩＤが入力されたならばＨＤＤ２１に記憶するようにする。そして、ユーザがユーザ登録をしているか否かは、端末ＩＤがＨＤＤ２１に記憶されているか否かで判断する。よって、ユーザが総合サービスサーバ３５に対しユーザ登録をしていない場合の宣伝情報の受信を容易にすることができる。
また、端末装置１０は、自身の属性を示す装置属性情報を送信し、装置属性情報に対応するオートデモを受信するので、端末装置１０の性能、機能に応じてオートデモを受信することができる。また、端末装置１０に各種サーバの提供するサービスの入会案内を表示することにより、ユーザは、具体的に受けることができるサービスを知ることができる。
なお、上述の実施の形態における各種処理に関しては、当該各種処理の内容を記述したプログラムによって提供されるようにしてもよい。この場合であっても、そのプログラムをコンピュータで実行することにより、上述した処理機能が当該コンピュータ上で実現される。
すなわち上述の実施の形態における各種処理においては、図４に示したハードウェア構成により実行させることもできるが、ソフトウェアにより実行させることもできる。この場合、プログラムをインストールすることでそのプログラムに応じた処理を実行し得る汎用のパーソナルコンピュータ等に、ソフトウェアを構成するプログラムをネットワークや記録媒体を介してインストールすることにより、上述の各種処理を実行させる。
さらにこのプログラムは、コンピュータで読み取り可能な記録媒体に記録しておいてもよい。この場合の記録媒体としては、例えば磁気ディスク（ハードディスク、フロッピィディスク等）や磁気テープ、光ディスク（ＤＶＤ、ＤＶＤ−ＲＡＭ、ＣＤ−ＲＯＭ、ＣＤ−Ｒ（Ｒｅｃｏｒｄａｂｌｅ）／ＲＷ（Ｒｅ−Ｗｒｉｔａｂｌｅ）等）、光磁気ディスク（ＭＯ（Ｍａｇｎｅｔｏ−Ｏｐｔｉｃａｌ  ｄｉｓｋ）等）、半導体メモリ等を用いることができる。
このプログラムを実行するコンピュータは、例えば、可搬型記録媒体に記録されたプログラムもしくはサーバから転送されたプログラムを、自己の記憶装置に格納する。そしてコンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバからプログラムが転送される毎に、逐次、受け取ったプログラムに従った処理を実行することもできる。
さらに上述の実施の形態においては、端末装置１０が受信可能な放送としてラジオ局から放送されるラジオ放送を適用したが、これに限らず、端末装置１０がインターネットラジオ放送や衛星ラジオ放送を受信して、その関連情報を取得するようにしたり、或いはテレビジョン放送局から放送されるテレビジョン放送を受信し、そのテレビジョン放送のテレビジョン番組に関する各種情報等をネットワーク上のサーバから取得するようにしてもよい。
さらに上述の実施の形態においては、図４に示す各種回路、及び図５に示すプログラムモジュールを端末装置１０に実装した場合について述べたが、本発明はこれに限らず、これらを携帯電話機やパーソナルコンピュータ等、端末装置１０以外の種々の端末に実装するようにしてもよく、これらを実装した端末であれば、上述した端末装置１０と同様の処理を実行することができる。
【産業上の利用可能性】  本発明は、ネットワーク上でサービスを提供するシステムにおいて広く利用できる。
【図１】
2005033995.tif 000003
【図２】
2005033995.tif 000004
【図３】
2005033995.tif 000005
【図４】
2005033995.tif 000006
【図５】
2005033995.tif 000007
【図６】
2005033995.tif 000008
【図７】
2005033995.tif 000009
【図８】
2005033995.tif 000010
【図９】
2005033995.tif 000011
【図１０】
2005033995.tif 000012
【図１１】
2005033995.tif 000013
【図１２】
2005033995.tif 000014
【図１３】
2005033995.tif 000015
【国際調査報告】
2005033995.tif 000016
2005033995.tif 000017